(57)【要約】  超極性電気外科用ブレードと超極性電気外科用ペンシル。超極性電気外科用ブレードは、対向する平坦側部、切断端、および対向する非切断端を有する非導電性平坦部材と、１つの対向する平坦側部に配置される第１のアクティブ電極および第１のリターン電極と、他方の対向する平坦側部に配置される第２のアクティブ電極および第２のリターン電極とを含む。超極性非伸縮および伸縮電気外科用ペンシルは、煙の排出が備わっていても備わっていなくてもよく、超極性電気外科用ブレードの鋭利な非導電性の切断端で切断すること、ならびに両方とも超極性電気外科用ブレードの各側部に含まれるアクティブ接点およびリターン接点の作動によって切断または凝固することが可能である。
2019521796.tif 000002
【特許請求の範囲】
【請求項１】
第１および第２の対向する平坦側部、切断端、および対向する非切断端を有する非導電性平坦部材と、
それぞれ、前記非導電性平坦部材の前記第１の対向する平坦側部に配置され、前記第１の対向する平坦側部の少なくとも一部は前記非導電性平坦部材の前記切断端付近に露出する、第１のアクティブ電極および第１のリターン電極と、
それぞれ、前記非導電性平坦部材の前記第２の対向する平坦側部に配置され、前記第２の対向する平坦側部の少なくとも一部は、前記非導電性平坦部材の前記切断端付近に露出する、第２のアクティブ電極および第２のリターン電極と
を有する超極性電気外科用ブレード
を備える超極性電気外科装置。
【請求項２】
前記第１の対向する平坦側部に配置される前記第１のアクティブ電極の少なくとも一部は、前記第２の対向する平坦側部に配置される前記第２のリターン電極の少なくとも一部を反映し、前記第１の対向する平坦側部にある前記第１のリターン電極の少なくとも一部は、前記第２の対向する平坦側部にある前記第２のアクティブ電極の少なくとも一部を反映する、請求項１に記載の超極性電気外科装置。
【請求項３】
前記非導電性平坦部材がセラミックを含む、請求項１に記載の超極性電気外科装置。
【請求項４】
前記第１および第２のアクティブ電極ならびに前記第１および第２のリターン電極がそれぞれ、ステンレス鋼、銅、およびタングステンのうちの少なくとも１つを含む、請求項１に記載の超極性電気外科装置。
【請求項５】
前記第１のアクティブ電極、前記第１のリターン電極、前記第２のアクティブ電極、および前記第２のリターン電極の各々が、前記非導電性平坦部材の全長の半分より長く延びる細長い導電層を備える、請求項１に記載の超極性電気外科装置。
【請求項６】
前記第１のアクティブ電極の前記細長い導電層の少なくとも一部分は、前記非導電性平坦部材の前記第１の対向する平坦側部の前記対向する細長い縁部の少なくとも１つに、またその一部の長さに沿って延在する、請求項５に記載の超極性電気外科装置。
【請求項７】
前記第１のリターン電極の前記細長い導電層の少なくとも一部分は、前記非導電性平坦部材の前記第１の対向する平坦側部の前記対向する細長い縁部の少なくとも１つに、またその一部の長さに沿って延在する、請求項５に記載の超極性電気外科装置。
【請求項８】
前記非導電性平坦部材の前記第２の対向する平坦側部にある前記第２のリターン電極の前記細長い導電層の少なくとも一部分は、前記非導電性平坦部材の前記第１の対向する平坦側部にある前記第１のアクティブ電極の前記細長い導電層の少なくとも一部分を反映し、前記非導電性平坦部材の前記第２の対向する平坦側部にある前記第２のアクティブ電極の前記細長い導電層の少なくとも一部分は、前記非導電性平坦部材の前記第１の対向する平坦側部にある前記第１のリターン電極の前記細長い導電層の少なくとも一部分を反映する、請求項５に記載の超極性電気外科装置。
【請求項９】
第１の端部と第２の端部とを有するハンドピースをさらに含み、前記超極性電気外科用ブレードが前記ハンドピースの前記第１の端部内に配置される、請求項１に記載の超極性電気外科装置。
【請求項１０】
前記ハンドピースが、内部に含まれる煙排出チャネルをさらに備える、請求項９に記載
の超極性電気外科装置。
【請求項１１】
前記ハンドピースが、切断用の少なくとも１つの作動ボタンと凝固用の少なくとも１つの作動ボタンとを含む、請求項９に記載の超極性電気外科装置。
【請求項１２】
第１の端部と第２の端部とを有するハンドピース部材と、
前記超極性電気外科用ブレードが前記中空伸縮部材の前記第１の端部内に配置され、前記中空伸縮部材の少なくとも一部が前記ハンドピース部材の前記第１の端部内に同心円状に配置されている、第１の端部を有する中空伸縮部材と、
前記超極性電気外科用ブレードの前記第１および第２のアクティブ電極と接触し、前記中空伸縮管状部材内に含まれる第１の中空導電性管状部材と、
前記超極性電気外科用ブレードの前記第１および第２のリターン電極と接触し、前記中空伸縮部材内に含まれる第１の中実導電性円筒形部材と、
前記第１の中実円筒形部材の少なくとも一部分が前記第２の中空導電性管状部材の少なくとも一部分の内部に含まれるように前記ハンドピース部材内に含まれる第２の中空導電性管状部材と、
前記第２の中実導電性円筒形部材の少なくとも一部分が前記第１の中空導電性管状部材の少なくとも一部分の内部に含まれるように、前記ハンドピース部材内に含まれる第２の中実導電性円筒形部材と
をさらに備える、請求項１に記載の超極性電気外科装置。
【請求項１３】
前記ハンドピース部材が、前記手術部位から煙とデブリのうちの少なくとも１つを排出するための、前記中空伸縮管状部材の内部と連通する煙排出チャネルをさらに備える、請求項１２に記載の超極性電気外科装置。
【請求項１４】
前記ハンドピース部材の内部に配置され、前記第２の中実導電性円筒形部材の少なくとも一部分と前記第２の中空導電性管状部材の少なくとも一部分が通っている第１の支持部材をさらに備える、請求項１３に記載の超極性電気外科装置。
【請求項１５】
前記中空伸縮部材内に配置され、前記超極性電気外科用ブレードの前記第１および第２のアクティブ電極の少なくとも一部分と前記超極性電気外科用ブレードの前記第１および第２のリターン電極の少なくとも一部が通っている第２の支持部材をさらに備える、請求項１４に記載の超極性電気外科装置。
【請求項１６】
前記ハンドピースが、切断用の少なくとも１つの作動ボタンと凝固用の少なくとも１つの作動ボタンとを含む、請求項１４に記載の超極性電気外科装置。
【請求項１７】
第１の端部と第２の端部とを有するハンドピース部材と、
前記超極性電気外科用ブレードが前記中空伸縮管状部材の前記第１の端部内に配置され、前記中空伸縮部材の少なくとも一部が前記ハンドピース部材の前記第１の端部内に同心円状に配置されている、第１の端部および第２の端部を有する中空伸縮管状部材と、
前記超極性電気外科用ブレードの前記第１および第２のアクティブ電極と接触し、前記中空伸縮管状部材内に含まれる第１の中実導電性円筒形部材と、
前記超極性電気外科用ブレードの前記第１および第２のリターン電極と接触し、前記中空伸縮管状部材内に含まれる第１の中空導電性管状部材と、
前記第２の中実円筒形部材の少なくとも一部分が前記第１の中空導電性管状部材の少なくとも一部分の内部に含まれるように前記ハンドピース部材内に含まれる第２の中実導電性円筒形部材と、
前記第１の中実円筒形部材の少なくとも一部分が前記第２の中空導電性管状部材の少なくとも一部分の内部に含まれるように、前記ハンドピース部材内に含まれる第２の中空導
電性管状部材と
をさらに備える、請求項１に記載の超極性電気外科装置。
【請求項１８】
前記ハンドピース部材が、前記手術部位から煙とデブリのうちの少なくとも１つを排出するための、前記中空伸縮管状部材の内部と連通する煙排出チャネルをさらに備える、請求項１７に記載の超極性電気外科装置。
【請求項１９】
前記ハンドピース部材の内部に配置され、前記第２の中実円筒形部材の少なくとも一部分と前記第２の中空導電性管状部材の少なくとも一部分が通っている第１の支持部材をさらに備える、請求項１８に記載の超極性電気外科装置。
【請求項２０】
前記中空伸縮部材内に配置され、前記超極性電気外科用ブレードの前記第１および第２のアクティブ電極の少なくとも一部分と前記超極性電気外科用ブレードの前記第１および第２のリターン電極の少なくとも一部が通っている第２の支持部材をさらに備える、請求項１９に記載の超極性電気外科装置。
【請求項２１】
前記ハンドピースが、切断用の少なくとも１つの作動ボタンと凝固用の少なくとも１つの作動ボタンとを含む、請求項１９に記載の超極性電気外科装置。
【発明の詳細な説明】
【技術分野】
【０００１】
関連出願の相互参照
本願は、２０１６年７月１５日に出願された係属番号１５／２１１，２７０の特許出願、および２０１６年７月１５日に出願された係属番号１５／２１１，４３１の特許出願に対する優先権を主張する。双方共参照によりその全体が本明細書に組み込まれる。
【０００２】
本発明は、概して、切断および凝固のために単極エネルギーを双極モードで使用する超極性電気外科用ブレードおよび超極性電気外科用ペンシルを対象とする。超極性電気外科用ブレードおよび超極性電気外科用ペンシルは、超極性電気外科用ブレードの鋭利な非導電性の切断端で切断すること、ならびに両方共電気外科用ブレードに含まれるアクティブ電極およびリターン電極の作動によって切断または凝固することが可能である。
【０００３】
本発明の超極性電気外科用ブレードは、第１および第２の対向する平坦側部と、切断端および対向する非切断端とを有する非導電性平坦部材、両者共非導電性平坦部材の第１の対向する平坦側部に配置される第１のアクティブ電極および第１のリターン電極、ならびに両者共非導電性平坦部材の第２の対向する平坦側部に配置されている第２のアクティブ電極および第２のリターン電極を有する。本発明の超極性電気外科用ペンシルは、第１および第２の端部を有するハンドピースと、ハンドピースの第１の端部内に配置された本発明の超極性電気外科用ブレードとを含む。ハンドピースはさらに、手術部位から煙および／またはデブリを排出するために含まれる煙排出チャネルを含み得る。
【０００４】
本発明の超極性伸縮電気外科用ペンシル／ハンドピースは、第１の端部と第２の端部とを有するハンドピース部材、ハンドピースの第１の端部内に同心円状に配置される第１の端部と第２の端部とを有する中空伸縮部材、アクティブ接点とリターン接点の両者を備える、中空伸縮部材の第１の端部内に配置される電気外科用ブレード、中空伸縮部材内に含まれる電気外科用ブレードのアクティブ接点またはリターン接点と接触する第１の中空導電性管状部材、第１の中空導電性管状部材と接触していない電気外科用ブレードのいずれかの接点と接触し、中空伸縮部材内に含まれる第１の中実円筒形部材、第１の中実円筒形部材の少なくとも一部分が第２の中空導電性管状部材の少なくとも一部分の内部に含まれるようにハンドピース部材内に含まれる第２の中空導電性管状部材、および第２の中実円筒形部材の少なくとも一部分が第１の中空導電性管状部材の少なくとも一部分の内部に含まれるように、ハンドピース部材内に含まれる第２の中実円筒形部材を含む。本発明の超極性伸縮電気外科用ペンシル／ハンドピースはまた、手術部位から煙および／またはデブリを排出することができる。
【背景技術】
【０００５】
電気外科手術は、ＲＦ電気外科発生器（電気手術器またはＥＳＵとしても知られる）、および生体組織を切断または凝固させるために様々な電圧で高周波交流無線周波（ＲＦ）電流の投入をもたらす電極を備えたハンドピースを使用する。ハンドピースは、１つの電極を有する単極の器具または２つの電極を有する双極の器具であり得る。単極の器具を使用する場合、リターン電極板が患者に取り付けられ、高周波電流が発生器から単極の器具へ、患者を経て患者のリターン電極板へ流れて、発生器へ戻るように流れる。単極電気外科手術は、その汎用性と有効性のために、一般的に用いられている。しかし、単極電気外科手術で発生する過剰な熱は、患者の背後に位置するリターン電極が高電圧および高ＲＦエネルギーを患者に通すため、過剰な組織の損傷および組織の壊死を引き起こす可能性がある。
【０００６】
双極電気外科手術では、アクティブ電極およびリターン電極の両方が双極の器具に含まれているため、アクティブ出力機能と患者リターン機能の両方が手術部位で発生する。したがって、電流の経路は、アクティブ電極およびリターン電極との間に位置する生体組織に限定される。双極電気外科手術で、より低い電圧およびより少ないエネルギーを使用できるようになり、それによって単極電気外科手術に関連する組織損傷およびスパークの可能性が低減し、または排除されるが、大きな出血領域を切断および凝固する能力は限られている。
【０００７】
したがって、組織の損傷を伴わずに広い範囲の組織を切断および凝固することを可能にし、患者を経てエネルギーが通ることを排除する電気外科用ブレードに対し、必要性が存在している。鋭利な切断縁部と、電気外科用ブレードの対向する側部に配置されたアクティブ電極およびリターン電極の両方とを有する超極性電気外科用ブレードは、この必要性を満たすであろう。鋭利な切断縁部と、本発明を参照して説明した電気外科用ブレードの対向する両方の側部に配置されたアクティブ電極およびリターン電極とを有する超極性電気外科用ブレードは、煙排出能力を有さない電気外科用ハンドピース／ペンシルと共に使用することができるが、それらはまた、電気外科手術中に煙を排出することができる電気外科用ペンシル／ハンドピースと一緒に使用することも意図している。
【０００８】
鋭利な切断縁部と、電気外科用ブレードの対向する側部に配置されたアクティブ電極およびリターン電極の両方とを備える電気外科用ブレードを有する超極性伸縮電気外科用ハンドピース／ペンシルはまた、広い範囲の生体組織の正確な切断および凝固の両方を可能にする。さらに、そのような超極性伸縮電気外科用ハンドピース／ペンシルは、ハンドピース／ペンシルの伸縮部材ならびにハンドピース／ペンシルの伸縮性部材内に配置された超極性電気外科用ブレードを延ばすことによって、使用者または外科医が、向上した視覚化の能力により、さらに容易かつ効率的に手術部位にアクセスすることを可能にする。本発明の超極性伸縮電気外科用ハンドピース／ペンシルはまた、手術部位での正確な切断、ならびに手術部位に位置する大きな生体組織領域の切断および凝固を実行することができる一方で、使用者または外科医が手術部位から煙および／またはデブリを排出することを可能にする。
【発明の概要】
【０００９】
本発明は、第１および第２の対向する平坦側部、切断端、および非切断端を有する非導電性平坦部材と、それぞれ第１の対向する平坦側部に配置され、第１の対向する平坦側部の少なくとも一部は非導電性平坦部材の切断端付近に露出する、第１のアクティブ電極およびリターン電極と、それぞれ第２の対向する平坦側部に配置され、第２の対向する平坦側部の少なくとも一部は、非導電性平坦部材の切断端付近に露出する、第２のアクティブ電極およびリターン電極とを含む超極性電気外科用ブレードを対象とする。本発明の超極性電気外科用ブレードの例示的な一実施形態では、第１の平坦側部に配置される第１のアクティブ電極が、第２の平坦側部に配置される第２のリターン電極の少なくとも一部を反映（ｍｉｒｒｏｒ）し、第１の平坦側部に配置される第１のリターン電極が、第２の平坦側部に配置される第２のアクティブ電極の少なくとも一部を反映する。
【００１０】
非導電性平坦部材はセラミックを含んでよく、第１および第２のアクティブ電極ならびに第１および第２のリターン電極はステンレス鋼、銅、および／またはタングステンを含み得る。本発明の超極性電気外科用ブレードの別の例示的実施形態では、第１および第２のアクティブ電極、ならびに第１および第２のリターン電極はそれぞれ、非導電性平坦部材の全長の半分を超えて延びる細長い導電層の形態を取り得る。第１のアクティブ電極の細長い導電層の少なくとも一部分は、第１の対向する平坦側部の対向する細長い縁部の１つ以上に、またその一部の長さに沿って延在することができ、第１のリターン電極の細長い導電層の少なくとも一部分は、第１の対向する平坦側部の１つ以上の対向する細長い縁
部に、またその一部の長さに沿って延在することができる。
【００１１】
本発明の超極性電気外科用ブレードのさらに別の例示的実施形態では、非導電性平坦部材の第２の対向する平坦側部にある第２のリターン電極の細長い導電層の少なくとも一部分は、非導電性平坦部材の第１の対向する平坦側部にある第１のアクティブ電極の細長い導電層の少なくとも一部分を反映し、非導電性平坦部材の第２の対向する平坦側部にある第２のアクティブ電極の細長い導電層の少なくとも一部分は、非導電性平坦部材の第１の対向する平坦側部にある第１のリターン電極の細長い導電層の少なくとも一部分を反映する。
【００１２】
本発明の超極性電気外科用ブレードのさらに別の例示的実施形態では、超極性電気外科用ブレードは、対向する細長い縁部、切断端、および対向する非切断端を有する第１および第２の対向する平坦側部を有する非導電性平坦部材、非導電性平坦部材の第１の対向する平坦側部に配置されているフック形構成を有する第１のアクティブ電極、第１のアクティブ電極に接触しない第１のアクティブ電極のフック形構成内に配置された、第１のリターン電極の少なくとも一部分が棒状構成を有する第１のリターン電極、非導電性平坦部材の第２の対向する平坦側部に配置されたフック形構成の第２のリターン電極、および第２のリターン電極に接触しない第２のリターン電極のフック形構成内に配置された、第２のアクティブ電極の少なくとも一部分が棒状構成を有する第２のアクティブ電極を含む。第１のアクティブ電極および第２のリターン電極のフック形構成は、非導電性平坦部材の切断端の近くに配置される第１および第２の対向する平坦側部の少なくとも一部を覆うことなく、非導電性平坦部材の切断端の近くに配置され得る。第１の対向する平坦側部に位置する第１のアクティブ電極のフック形構成の少なくとも一部分は、第２の対向する平坦側部に位置する第２のリターン電極のフック形構成の少なくとも一部分を反映してよく、第１のリターン電極の棒状構成の少なくとも一部分は、第２のアクティブ電極の棒状構成の少なくとも一部を反映してもよい。非導電性平坦部材はセラミックを含んでよく、第１および第２のアクティブ電極ならびに第１および第２のリターン電極はステンレス鋼、銅、および／またはタングステンを含み得る。
【００１３】
第１のアクティブ電極はフック形の導電層の形態を取り得て、フック形の導電層の少なくとも一部分は、非導電性平坦部材の第１の対向する平坦側部の対向する細長い縁部に、またその一部の長さに沿って延在し、第１のリターン電極は、棒状の導電層の形態を取り得て、棒状の導電層の少なくとも一部分は、非導電性平坦部材の第１の対向する平坦側部の対向する細長い縁部の１つに、またその一部の長さに沿って延在する。同様に、第２のリターン電極は、フック形の導電層の形態を取り得て、フック形の導電層の少なくとも一部分は、非導電性平坦部材の第２の対向する平坦側部の対向する細長い縁部に、またその一部の長さに沿って延在し、第２のアクティブ電極は、棒状の導電層の形態を取り得、棒状の導電層の少なくとも一部分は、非導電性平坦部材の第２の対向する平坦側部の対向する細長い縁部の１つに、またその一部の長さに沿って延在する。
【００１４】
さらに、第１および第２のアクティブ電極の一部ならびに第１および第２のリターン電極の一部は、非導電性平坦部材の対向する非切断端まで延びてもよい。本発明の超極性電気外科用ブレードは、非導電性平坦部材の非切断端付近に位置する第１のアクティブ電極および第２のアクティブ電極双方と連通する第１の導電性インサート部材、および非導電性平坦部材の非切断端付近に位置する第１のリターン電極および第２のリターン電極と連通する第２の導電性インサート部材を、さらに含み得る。第１および第２の導電性インサートはそれぞれ、黄銅および／または銅でできている金属接点部材を含むことができる。
【００１５】
本発明はまた、第１および第２の端部を有するハンドピースと、ハンドピースの第１の端部に配置された電気外科用ブレードとを有する超極性電気外科用ペンシルを対象とし、
それにおいては、電気外科用ブレードが、第１および第２の対向する平坦側部と、切断端と、対向する非切断端とを有する非導電性平坦部材、第１の対向する平坦側部に配置され、第１の対向する平坦側部の少なくとも一部分が非導電性平坦部材の非導電性切断端付近に露出する、第１のアクティブ電極およびリターン電極、および第２の対向する平坦側部に配置され、第２の対向する平坦側部の少なくとも一部分が非導電性平坦部材の非導電性切断端付近に露出する、第２のアクティブ電極およびリターン電極を含む。ハンドピースは、電気外科用ペンシルの作動中に手術部位から煙とデブリを排出するためにその中に含まれる煙排出チャネルをさらに含み得る。さらに、ハンドピースは、切断用の少なくとも１つの作動ボタンと凝固用の少なくとも１つの作動ボタンとをさらに含み得る。
【００１６】
本発明はさらに、手術部位における正確な切断、ならびに手術部位における大きな生体組織領域の切断および凝固を実行することができる、超極性伸縮電気外科用ハンドピース／ペンシルを対象とする。本発明の超極性伸縮電気外科用ペンシルはまた、超極性伸縮電気外科用ハンドピース／ペンシルの伸縮部材、および伸縮部材内に収容された超極性電気外科用ブレードを延ばすことによって、同時に手術部位を形成する煙および／またはデブリを排出しながら、手術部位における視認性を高めつつ効果的かつ効率的に手術部位にアクセスできる。
【００１７】
１つの例示的な実施形態では、本発明の超極性伸縮電気外科用ハンドピース／ペンシルは、第１の端部と第２の端部とを有するハンドピース部材、中空伸縮部材の少なくとも一部分がハンドピース部材の第１の端部内に同心円状に配置される、第１の端部と第２の端部を有する中空伸縮部材、中空伸縮部材の第１の端部内に配置されるアクティブおよびリターン接点を有する電気外科用ブレード、電気外科用ブレードのアクティブ接点と接触し、中空伸縮管状部材内に含まれる第１の中空導電性管状部材、電気外科用ブレードのリターン接点と接触し、中空伸縮部材内に含まれる第１の中実導電性円筒形部材、第１の中実円筒形部材の少なくとも一部分が第２の中空導電性管状部材の少なくとも一部分内に含まれるように、ハンドピース部材内に含まれる第２の中空導電性管状部材、ならびに第２の中実円筒形部材の少なくとも一部分が第１の中空導電性管状部材の少なくとも一部分内に含まれるように、ハンドピース部材内に含まれる第２の中実円筒形部材を含む。ハンドピース部材はさらに、煙および／またはデブリを手術部位から排出する中空伸縮管状部材の内部と連通する煙排出チャネルを含む。
【００１８】
超極性伸縮電気外科用ハンドピース／ペンシルは、第２の中実導電性円筒形部材の少なくとも一部と第２の中空導電性管状部材の少なくとも一部が第１の支持部材を通る、ハンドピース部材内に配置された第１の支持部材、および／または電気外科用ブレードのアクティブ接点の少なくとも一部分および電気外科用ブレードのリターン接点の少なくとも一部分が第２の支持部材を通る、中空伸縮部材内に配置された第２の支持部材をさらに含むことができる。超極性伸縮電気外科用ハンドピース／ペンシルはまた、ハンドピース部材の第２の端部に接続された旋回部材を含むことができ、旋回部材に接続された真空管をハンドピース部材に接続された電気コードの周りでねじれるようにし、それにより、電気外科用ブレードの対向する超極性伸縮電気外科用ハンドピース／ペンシルの端部を引っ張る、または引き下げるのを減らすことで、外科医が超極性伸縮電気外科用ハンドピース／ペンシルを使用するのを容易にする。
【００１９】
本発明の超極性伸縮電気外科用ハンドピース／ペンシルの第１および第２の中空導電性管状部材、ならびに第１および第２の中実導電性円筒形部材は、ステンレス鋼、銅、および／またはチタンで作製し得る。さらに、第１および第２の中空導電性管状部材はそれぞれ、その外面に絶縁体を有することができる。
【００２０】
超極性伸縮電気外科用ハンドピース／ペンシルの電気外科用ブレードは、非導電性平坦
部材の各対向する平坦側部にアクティブ接点およびリターン接点の両方と共に、対向する平坦側部を有する非導電性平坦部材を含み得る。電気外科用ブレードは、非導電性平坦部材から形成することができる非導電性鋭利切断先端部をさらに含むことができ、非導電性鋭利切断先端部と非導電性平坦部材は、セラミック材料を含むことができる。
【００２１】
本発明の超極性伸縮電気外科用ハンドピース／ペンシルはまた、中空伸縮管状部材をハンドピース部材に対して定位置に係止するための係止部材を含んでもよい。本発明の超極性伸縮電気外科用ハンドピース／ペンシルはまた、切断用の少なくとも１つの作動ボタン、および凝固用の少なくとも１つの作動ボタンを含み得る。
【００２２】
別の例示的な実施形態では、本発明の超極性伸縮電気外科用ハンドピース／ペンシルは、第１の端部と第２の端部とを有するハンドピース部材と、中空伸縮部材の少なくとも一部分がハンドピース部材の第１の端部内に同心円状に配置される、第１の端部と第２の端部を有する中空伸縮部材と、中空伸縮部材の第１の端部内に配置されるアクティブおよびリターン接点双方を有する電気外科用ブレードと、電気外科用ブレードのアクティブ接点と接触し、中空伸縮管状部材内に含まれる第１の中実導電性円筒形部材と、電気外科用ブレードのリターン接点と接触し、中空伸縮管状部材内に含まれる第１の中空導電性管状部材と、第２の中実円筒形部材の少なくとも一部分が第１の中空導電性管状部材の少なくとも一部分内に含まれるように、ハンドピース部材内に含まれる第２の中実導電性円筒形部材と、第１の中実円筒形部材の少なくとも一部分が第２の中空導電性管状部材の少なくとも一部分内に含まれるように、ハンドピース部材内に含まれる第２の中空導電性管状部材とを含む。前述の例示的な実施形態と同様に、ハンドピース部材はさらに、煙および／またはデブリを手術部位から排出する中空伸縮管状部材の内部と連通する煙排出チャネルを含む。
【００２３】
超極性伸縮電気外科用ハンドピース／ペンシルのこの第２の例示的な実施形態は、第２の中実円筒形部材の少なくとも一部と第２の中空導電性管状部材の少なくとも一部が第１の支持部材を通る、ハンドピース部材内に配置された第１の支持部材、および／または電気外科用ブレードのアクティブ接点の少なくとも一部分および電気外科用ブレードのリターン接点の少なくとも一部分が第２の支持部材を通る、中空伸縮部材内に配置された第２の支持部材を含むことができる。この実施形態はまた、ハンドピース部材の第２の端部に接続された旋回部材を含むことができ、旋回部材に接続された真空管をハンドピース部材に接続された電気コードの周りでねじれるようにし、それにより、電気外科用ブレードの対向する超極性伸縮電気外科用ハンドピース／ペンシルの端部を引っ張る、または引き下げるのを減らすことで、外科医が超極性伸縮電気外科用ハンドピース／ペンシルを使用するのを容易にする。
【００２４】
第１の例示的実施形態と同様に、本発明の第２の例示的な実施形態の超極性伸縮電気外科用ハンドピース／ペンシルの第１および第２の中空導電性管状部材、ならびに第１および第２の中実導電性円筒形部材は、ステンレス鋼、銅、および／またはチタンで作製し得る。さらに、第１および第２の中空導電性管状部材はそれぞれ、その外面に絶縁体を有することができる。さらに、超極性伸縮電気外科用ハンドピース／ペンシルの第２の例示的な実施形態の電気外科用ブレードは、非導電性平坦部材の各対向する平坦側部にアクティブ接点およびリターン接点の両方と共に、対向する平坦側部を有する非導電性平坦部材を含み得る。電気外科用ブレードは、非導電性平坦部材から形成することができる非導電性鋭利切断先端部をさらに含むことができ、非導電性鋭利切断先端部と非導電性平坦部材は、セラミック材料を含むことができる。
【００２５】
さらに、第１の例示的な実施形態と同様に、本発明の超極性伸縮電気外科用ハンドピース／ペンシルの第２の例示的な実施形態もまた、ハンドピース部材に対して定位置に中空
伸縮管状部材を係止する係止部材、切断用の少なくとも１つの作動ボタン、および凝固用の少なくとも１つの作動ボタンを含み得る。
【図面の簡単な説明】
【００２６】
本発明は、添付の図面と併せて以下に説明され、図面において、類似の番号は類似した要素を示す。
【００２７】
【図１】図1は、本発明の超極性電気外科用ブレードの例示的実施形態の側面図である。
【図２】図２は、図１に示されている本発明の超極性電気外科用ブレードの例示的実施形態の上面図である。
【図３】図３は、図１に示す本発明の超極性電気外科用ブレードの例示的な実施形態の反対側の側面図であり、図１の超極性電気外科用ブレードを１８０度回転させて示している。
【図４】図４は、図１の４−４線に沿って得られた断面図である。
【図５】図５は、図１の５−５線に沿って得られた断面図である。
【図６】図６は、図１の６−６線に沿って得られた断面図である。
【図７】図７は、電気外科用ブレードのアクティブ電極およびリターン電極と連通する導電性インサートを、電気外科用ペンシルに容易に挿入することができるように、本発明の超極性電気外科用ブレードを保持するための支持部材の１つの例示的な実施形態を示す、図１および図３の超極性電気外科用ブレードの端面図である。
【図８】図８は、図１に示す本発明の超極性電気外科用ブレードの例示的実施形態の部分的な斜視図である。
【図９】図９は、本発明の超極性電気外科用ペンシルの例示的な実施形態の側面断面図である。
【図１０】図１０は、本発明の超極性伸縮電気外科用ハンドピース／ペンシルの第１の例示的な実施形態の側面斜視図であり、ハンドピース／ペンシルの内部を見られた場合に現れるものとした、超極性伸縮電気外科用ハンドピース／ペンシルの内部構成要素を示す。
【図１１】図１１は、図１０に示す図と同じであるが、示されている超極性伸縮電気外科用ハンドピース／ペンシルが超極性伸縮電気外科用ハンドピース／ペンシルの旋回部材に対して１８０度回転されており、それは、超極性伸縮電気外科用ハンドピース／ペンシルのハンドピース部材および中空伸縮部材が１８０度回転したとき、同じ位置を保っている。
【図１２】図１２は、本発明の超極性伸縮電気外科用ハンドピース／ペンシルの第２の例示的な実施形態の側面斜視図であり、ハンドピース／ペンシルの内部を見られた場合に現れるものとした、超極性伸縮電気外科用ハンドピース／ペンシルの内部構成要素を示す。
【図１３】図１３は、図１２に示す図と同じであるが、示されている超極性伸縮電気外科用ハンドピース／ペンシルが超極性伸縮電気外科用ハンドピース／ペンシルの旋回部材に対して１８０度回転されており、それは、超極性伸縮電気外科用ハンドピース／ペンシルのハンドピース部材および中空伸縮部材が１８０度回転したとき、同じ位置を保っている。
【発明を実施するための形態】
【００２８】
本発明の超極性電気外科用ブレードおよび超極性電気外科用ペンシルの例示的な実施形態は、使用者または外科医が、電気外科用ブレードの鋭利な非導電性先端で切断すること、ならびに、アクティブ電極およびリターン電極の両方が配置されている側のどちらかに電気外科用ブレードを配置することによって電気外科用ブレードを用いて広範囲の生体組織を凝固することを可能にするものである。本発明の電気外科用ブレードおよび電気外科
用ペンシルはまた、電気外科用ブレードのアクティブ電極およびリターン電極を用いて切断を実行し得る。本発明の超極性電気外科用ブレードおよび超極性電気外科用ペンシルの例示的な実施形態は、対向する平坦側部、切断端、および非切断端を有する非導電性平坦部材、それぞれ非導電性平坦部材の１つの対向する平坦側部に配置されている第１のアクティブ電極およびリターン電極、ならびにそれぞれ非導電性リターン電極の他方の対向する平坦側部に配置されている第２のアクティブ電極およびリターン電極を有する電気外科用ブレードを含む。非導電性平坦部材の切断端は、生体組織を切断するための鋭利な非導電性切断端を形成することができ、一方で非導電性平坦部材の両側に配置されたアクティブ電極およびリターン電極は、生体組織の凝固および切断を行うために使用できる。
【００２９】
図１および図３は、本発明の超極性電気外科用ブレード１０の例示的実施形態の対向側面図を示す。このブレードは、対向する細長い縁部１８を備える第１および第２の対向する平坦側部１４（図１参照）、１６（図２参照）と、切断端２０と、対向する非切断端２２とを有する非導電性平坦部材１２、それぞれ、非導電性平坦部材１２の第１の対向する平坦側部１４に配置され、第１の対向する平坦側部１４の少なくとも一部は非導電性平坦部材１２の非導電性切断端２０付近に露出する、第１のアクティブ電極２４および第１のリターン電極２８、および、それぞれ、非導電性平坦部材１２の第２の対向する平坦側部１６に配置され、第２の対向する平坦側部１６の少なくとも一部は、非導電性平坦部材１２の非導電性切断端２０付近に露出する、第２のアクティブ電極４４および第２のリターン電極３８を含む。第１および第２のアクティブ電極２４、４４、ならびに第１および第２のリターン電極２８、３８はそれぞれ、非導電性平坦部材１２の全長の半分を超えて延びる細長い導電層の形態を取り得る。
【００３０】
図１および図３に示す例示的な実施形態に示すように、第１のアクティブ電極２４の少なくとも一部分および第１のリターン電極２８の少なくとも一部分は、非導電性平坦部材１２の第１の対向する平坦側部１４の対向する細長い縁部１８の少なくとも１つに、またその一部の長さに沿って延びてもよい。さらに、第２のリターン電極３８の少なくとも一部分は、非導電性平坦部材１２の第２の対向する平坦側部１６の対向する細長い縁部１８の少なくとも１つに、またその一部の長さに沿って延びてもよい。図１および図３に示す超極性電気外科用ブレードの例示的な実施形態にさらに示すように、第１の対向する平坦側部１４に位置する第１のアクティブ電極２４の少なくとも一部は、第２の対向する平坦側部１６に位置する第２のリターン電極３８の少なくとも一部を反映することができ、第１の対向する平坦側部１４に位置する第１のリターン電極２８の少なくとも一部は、第２の対向する平坦側部１６に位置する第２のアクティブ電極４４の少なくとも一部を反映することができる。さらに、第１のアクティブ電極２４はフック形構成２６を含むことができ、第１のリターン電極２８は棒状構成３０を含むことができ、第１のリターン電極２８の棒状構成３０の少なくとも一部は、第１のアクティブ電極２４のフック形構成２６の内部に配置される。さらに、第２のリターン電極３８はフック形構成４０を含むことができ、第２のアクティブ電極４４は棒状構成４６を含むことができ、第２のアクティブ電極４４の棒状構成４６の少なくとも一部は、第２のリターン電極３８のフック形構成４０の内部に配置される。
【００３１】
非導電性平坦部材１２は、やはり鋭利な切断端２０を形成することができるセラミックを含むことができる。第１および第２のアクティブ電極２４、４４ならびに第１および第２のリターン電極２８、３８は、ステンレス鋼、銅、および／またはタングステンのうちの少なくとも１つを含み得る。第１のアクティブ電極２４のフック形構成２６および第２のリターン電極３８のフック形構成４０は、依然として非導電性平坦部材１２の第１および第２の対向側部１４、１６の少なくとも一部が、非導電性切断端２０の近くに露出できるようにして、非導電性平坦部材１２の切断端２０の近くに配置され得る。これにより、超極性電気外科用ブレード１０の鋭利な非導電性切断端２０を用いて正確な切断を実施す
ることが可能になる。
【００３２】
超極性電気外科用ブレード１０はまた、それが電気外科用ペンシルなどの器具に簡単に接続できるよう、超極性電気外科用ブレード１０が非導電性平坦部材１２とそれに関連するアクティブ電極およびリターン電極とを支持することができる限り、様々な構成の形態を取り得る支持部材３１を含み得る。超極性電気外科用ブレード１０はまた、非導電性平坦部材１２の反対側の非切断端２２付近で第１のアクティブ電極２４および第２のアクティブ電極４４と連通する第１の導電性インサート部材５０、および非導電性平坦部材１２の反対側の非切断端２２付近で第１のリターン電極２８および第２のリターン電極３８と連通する第２の導電性インサート部材５２を含み得る。
【００３３】
図２は、支持部材３１内に仮想の線で示された非導電性平坦部材１２を有する本発明の超極性電気外科用ブレード１０の上面図である。図４は、図１の線４−４に沿って得られた断面図であり、非導電性平坦部材１２と、非導電性平坦部材１２の一方の側部（第１の対向する平坦側部１４）に配置される第１のアクティブ電極２４と第１のリターン電極２８、および非導電性平坦部材１２の他方の側部（第２の対向する平坦側部１６）に配置される第２のアクティブ電極４４と第２のリターン電極３８を示す。図４に示しているように、断面が得られたために、非導電性平坦部材１２の一方の側部に示される第１のアクティブ電極２４の２つの部分と、非導電性平坦部材１２の他方の側部に示される第２のリターン電極３８の２つの部分とがある。図５は、図１の線５−５に沿って得られた本発明の超極性電気外科用ブレード１０の別の断面図を示している。図５は、非導電性平坦部材１２の一方の側部の第１のアクティブ電極２４の一部と第１のリターン電極２８の一部と、非導電性平坦部材１２の他方の側部の第２のアクティブ電極４４の一部と第２のリターン電極３８の一部とを示す。
【００３４】
図６は、支持部材３１内に懸架された第１および第２のアクティブ電極２４、４４および第１および第２のリターン電極２８、３８と共に非導電性平坦部材１２を示す、図１の６−６線に沿って得られた断面図である。図６はまた、第１および第２のアクティブ電極２４、４４と連通している超極性電気外科用ブレード１０の第１の導電性インサート部材５０、および第１および第２のリターン電極２８、３８と連通している超極性電気外科用ブレード１０の第２の導電性インサート部材５２を示す。
【００３５】
図１および図３の超極性電気外科用ブレード１０の端面図は、電気外科用ブレード１０のアクティブ電極およびリターン電極２４、４４、２８、３８と連通する導電性インサート５０、５２を、電気外科用ペンシルなどの器具に容易に挿入することができるように、本発明の超極性電気外科用ブレード１０を保持するための支持部材３１の１つの例示的な実施形態を示す。ほんの１つの例示的な実施形態では、支持部材３１は、第１および第２の導電性インサート部材５０、５２を配置することができる導電性管状部材６４、６６を有する非導電性インサート部材６２を有する中空円筒部材６０の形態を取り得る。本発明の超極性電気外科用ブレード１０を保持するための支持部材は、任意の数の形態または構成を取り得ることを当業者は理解するであろう。
【００３６】
図８は、図１に示されている本発明の超極性電気外科用ブレード１０の例示的な実施形態の部分的な斜視図である。図８に見られるように、ブレードのアクティブ電極およびリターン電極は、非導電性平坦部材１２の対向する平坦側部に配置され、非導電性平坦部材１２の頂部は非導電性で電極がないままである。
【００３７】
本発明の超極性電気外科用ペンシル７０の例示的な実施形態の側面断面図が図９に示されている。超極性電気外科用ペンシル７０は、第１の端部７４および第２の端部７６を有するハンドピース７２と、ハンドピースの第１の端部７４内に配置された超極性電気外科
用ブレード１０とを含む。図９に示す超極性電気外科用ブレード１０は、図１〜図３に示すブレード１０と同様である。導電性ワイヤ８０、８２は、第１および第２の導電性インサート部材５０、５２を、切断用の少なくとも１つの作動ボタン８６、および凝固用の少なくとも１つの作動ボタン８８を可能にする回路基板に接続する。ハンドピース７２は、切断および／または凝固を行うときに手術部位からの煙および／またはデブリを排出できるようにするための煙排出チャネル７１を含み得る。
【００３８】
本発明の超極性伸縮電気外科用ハンドピース／ペンシルの例示的な実施形態は、使用者または外科医が正確な切断ならびに凝固を実行することを可能にする。本発明の超極性伸縮電気外科用ハンドピース／ペンシルはまた、手術部位から煙および／またはデブリを同時に排出すること、ならびに手術部位への必要なアクセスの種類に応じて超極性伸縮電気外科用ハンドピース／ペンシルの長さを伸縮自在に調整できるようにすることも可能にする。本発明の超極性伸縮電気外科用ハンドピース／ペンシルはまた、電極とは反対側のハンドピース部材の端部に接続された旋回部材を含み、旋回部材に接続された真空管をハンドピース部材に接続された電気コードの周りでねじれるようにする。それにより、電気外科手術中の超極性伸縮電気外科用ハンドピース／ペンシルの端部を引っ張る、または引き下げるのを減らすことで、外科医が超極伸縮電気外科用ハンドピース／ペンシルを使用するのを容易にする。超極性伸縮電気外科用ハンドピース／ペンシルは、電気外科用ハンドピース／ペンシル、電気外科用ハンドピース、電気外科用ペンシル、および本明細書全体のハンドピース／ペンシルと交換可能に使用され、すべて本発明の同一の主題を言及することを意図している。
【００３９】
図１０は、本発明の超極性伸縮電気外科用ハンドピース／ペンシル１１０の第１の例示的な実施形態の側面斜視図であり、ハンドピース／ペンシル１１０の内部を見られた場合に現れるものとした、超極性伸縮電気外科用ハンドピース／ペンシル１１０の内部構成要素を示す。超極性伸縮電気外科用ハンドピース／ペンシル１１０は、第１の端部１１４と第２の端部１１６とを有するハンドピース部材１１２、中空伸縮部材１１８の少なくとも一部分がハンドピース部材１１２の第１の端部１１４内に同心円状に配置される第１の端部１２０と第２の１２２を有する中空伸縮部材１１８であって、電気外科用ブレード１２４が第１の端部１２０内に配置されるアクティブ接点１２６およびリターン接点１２８の双方を有する中空伸縮部材１１８、電気外科用ブレード１２４のアクティブ接点１２６と接触し、中空伸縮部材１１８内に含まれる第１の中空導電性管状部材１３０、電気外科用ブレード１２４のリターン接点１２８と接触し、中空伸縮部材１１８内に含まれる第１の中実導電性円筒形部材１３２、第１の中実円筒形部材１３２の少なくとも一部分が第２の中空導電性管状部材１３４の少なくとも一部分内に含まれるように、ハンドピース部材１１２内に含まれる第２の中空導電性管状１３４、ならびに第２の中実導電性円筒形部材１３６の少なくとも一部分が第１の中空導電性管状部材１３０の少なくとも一部分内に含まれるように、ハンドピース部材１１２内に含まれる第２の中実導電性円筒形部材１３６を含む。当業者に理解されるように、それぞれが絶縁体で被覆される電線などの、切断および／または凝固を作動させるためにハンドピース部材１１２の中または上に配置された回路基板に電気外科用ブレード１２４のアクティブ接点１２６およびリターン接点１２８を接続するための他の手段を利用できる。それは、例えば絶縁された電線に耐久性があり、アクティブ接点およびリターン接点に接続されたそれぞれの電線が互いに接触しないことを保証することができる場合などに限られる。しかし、本明細書に示し説明した例示的な実施形態を参照して説明した中実導電性円筒形部材および中空導電性管状部材は、ハンドピース／ペンシルを用いた切断および／または凝固の活性化を可能にする、超極性電気外科用ブレードのアクティブ接点およびリターン接点を回路基板に接続するための優れた手段であると考えられる。さらに、本明細書に示され記載される例示的な実施形態を参照して説明される中実導電性円筒形部材および中空導電性管状部材を利用して、故障に大幅に曝されにくいハンドピース／ペンシル、およびハンドピース／ペンシルの使用中に誤動作
が起こって、患者および／または使用者／外科医に傷害をもたらす可能性がはるかに低いハンドピース／ペンシルを作り出す。
【００４０】
図１０に示す例示的な実施形態に見られるように、本発明の電気外科用ペンシル／ハンドピースは、ハンドピース部材１１２と中空伸縮部材１１８とを有し、これらは共に手術部位からの煙および／またはデブリの排出を可能にするために互いに連続しているチャネルを有する。排出中、煙および／またはデブリは連続チャネルを通り、連続チャネルに含まれる第１および第２の中空導電性管状部材１３０、１３４、ならびに第１および第２の中実導電性円筒形部材１３２、１３６の周りを通る。さらに、第１の支持部材１４０は、第２の中実導電性円筒形部材１３６の少なくとも一部分および第２の中空導電性管状部材１３４の少なくとも一部分が第１の支持部材１４０を通過するようにハンドピース部材１１２内に位置決めされる。さらに、電気外科用ブレード１２４のアクティブ接点１２６の少なくとも一部分および電気外科用ブレード１２４のリターン接点１２８の少なくとも一部分が第２の支持部材１４２を通るように、第２の支持部材１４２が中空伸縮部材１１８内に位置決めされる。第１および第２の中空導電性管状部材１３０、１３４ならびに第１および第２の中実導電性円筒形部材１３２、１３６は、ステンレス鋼、銅、および／またはチタンから作製でき、第１および第２の中空導電性管状部材１３０、１３４の外面はそれぞれ絶縁体で覆われてもよい。
【００４１】
電気外科用ブレード１２４は、対向する平坦側部を有する非導電性平坦部材と、非導電性平坦部材の各対向する平坦側部にアクティブ接点１２６とリターン接点１２８双方を有する超極性電気外科用ブレードである。超極性電気外科用ブレード２４はさらに、非導電性の鋭利な切断先端部１４５を含む。非導電性の鋭利な切断先端部１４５は、非導電性平坦部材から形成することができ、両方ともセラミック材料で作ることができる。
【００４２】
超極性伸縮電気外科用ハンドピース／ペンシル１１０はまた、旋回部材１４６がハンドピース部材１１２に対して回転するように、ハンドピース部材１１２の第２の端部１１６に接続される旋回部材１４６を含む。旋回部材１４６は、旋回部材に接続された真空管１４８がハンドピース部材１１２に接続された電気コード１５０の周りでねじれるようにし、それにより、電気外科手術中の超極性伸縮電気外科用ハンドピース／ペンシル１１０の端部を引っ張る、または引き下げるのを減らすことで、外科医が超極性伸縮電気外科用ハンドピース／ペンシル１１０を使用するのを容易にする。
【００４３】
図１１は、図１０に示された図と同じであるが、示されている超極性伸縮電気外科用ハンドピース／ペンシル１１０が超極性伸縮電気外科用ハンドピース／ペンシル１１０の旋回部材１４６に対して１８０度回転されている。それは、超極性伸縮電気外科用ハンドピース／ペンシル１１０のハンドピース部材１１２および中空伸縮部材１１８が１８０度回転したとき、同じ位置を保っている。図１１で見られるように、超極性電気外科用ブレード１２４はまた、アクティブ接点１２６とリターン接点１２８を含む対向する平坦側部とは反対側の非導電性平坦部材の対向する平坦側部に位置する、第２のアクティブ接点１２７と第２のリターン接点１２９とを有する。図１０および図１１に見られるように、アクティブ接点１２６および第２のアクティブ接点１２７は両方とも第１の中空導電性管状部材１３０と接触または連通しており、リターン接点１２８および第２のリターン接点１２９は両方とも第１の中実導電性円筒形部材１３２と接触している、または連通している。超極性伸縮電気外科用ハンドピース／ペンシル１１０のこの構成により、使用者または外科医は、非導電性の鋭利な切断先端部１４５で生体組織を切断し、電気外科用ブレード１２４の一方の側部のアクティブ接点１２６とリターン接点１２８で生体組織を凝固させ、電気外科用ブレード１２４の他方の側部の第２のアクティブ接点１２７および第２のリターン接点１２９で生体組織を凝固して、電気外科用ブレード１２４のアクティブ接点１２６およびリターン接点１２８ならびに第２のアクティブ接点１２７および第２のリターン
接点１２９で切断することが可能になる。
【００４４】
超極性伸縮電気外科用ハンドピース／ペンシル１１０はまた、中空伸縮部材１１８をハンドピース部材１１２に対して定位置に係止するための係止部材１６０を含む。さらに、図１０および図１１に示すように、超極性伸縮電気外科用ハンドピース／ペンシル１１０はまた、切断用の少なくとも１つの作動ボタン１７０および凝固用の少なくとも１つの作動ボタン１７２を含む。
【００４５】
図１２は、本発明の超極性伸縮電気外科用ハンドピース／ペンシル２００の第２の例示的な実施形態の側面斜視図であり、ハンドピース／ペンシル２００の内部を見られた場合に現れるものとした、超極性伸縮電気外科用ハンドピース／ペンシル２００の内部構成要素を示す。超極性伸縮電気外科用ハンドピース／ペンシル２００は、第１の端部２１４と第２の端部２１６とを有するハンドピース部材２１２、中空伸縮部材２１８の少なくとも一部分がハンドピース部材２１２の第１の端部２１４内に同心円状に配置される第１の端部２２０と第２の２２２を有する中空伸縮部材２１８、中空伸縮部材２１８の第１の端部２２０内に配置されるアクティブ接点２２６およびリターン接点２２８の双方を有する電気外科用ブレード２２４、電気外科用ブレード２２４のアクティブ接点２２６と接触し、中空伸縮部材２１８内に含まれる第１の中実導電性円筒形部材２３０、電気外科用ブレード２２４のリターン接点２２８と接触し、中空伸縮部材２１８内に含まれる第１の中空導電性管状部材２３２、第２の中実導電性円筒形部材２３４の少なくとも一部分が第１の中空導電性管状部材２３２の少なくとも一部分内に含まれるように、ハンドピース部材２１２内に含まれる第２の中実導電性円筒形部材２３４、ならびに第１の中実導電性円筒形部材２３０の少なくとも一部分が第２の中空導電性管状部材２３６の少なくとも一部分内に含まれるように、ハンドピース部材２１２内に含まれる第２の中空導電性管状部材２３６を含む。当業者に理解されるように、それぞれが絶縁体で被覆される電線などの、切断および／または凝固を作動させるためにハンドピース部材２１２の中または上に配置された回路基板に電気外科用ブレード２２４のアクティブ接点２２６およびリターン接点２２８を接続するための他の手段を利用できる。それは、例えば絶縁された電線に耐久性があり、アクティブ接点およびリターン接点に接続されたそれぞれの電線が互いに接触しないことを保証することができる場合などに限られる。しかし、本明細書に示し説明した例示的な実施形態を参照して説明した中実導電性円筒形部材および中空導電性管状部材は、ハンドピース／ペンシルを用いた切断および／または凝固の活性化を可能にする、超極性電気外科用ブレードのアクティブ接点およびリターン接点を回路基板に接続するための優れた手段であると考えられる。さらに、本明細書に示され記載される例示的な実施形態を参照して説明される中実導電性円筒形部材および中空導電性管状部材を利用して、故障に大幅に曝されにくいハンドピース／ペンシル、およびハンドピース／ペンシルの使用中に誤動作が起こって、患者および／または使用者／外科医に傷害をもたらす可能性がはるかに低いハンドピース／ペンシルを作り出す。
【００４６】
図１２に示す例示的な実施形態に見られるように、本発明の電気外科用ペンシル／ハンドピース２００は、ハンドピース部材２１２と中空伸縮部材２１８とを有し、これらは共に手術部位からの煙および／またはデブリの排出を可能にするために互いに連続しているチャネルを有する。排出中、煙および／またはデブリは連続チャネルを通り、連続チャネルに含まれる第１および第２の中実導電性円筒形部材２３０、２３４、ならびに第１および第２の中空導電性管状部材２３２、２３６の周りを通る。さらに、第１の支持部材２４０は、第２の中実導電性円筒形部材２３４の少なくとも一部分および第２の中空導電性管状部材２３６の少なくとも一部分が第１の支持部材２４０を通るようにハンドピース部材２１２内に配置される。さらに、電気外科用ブレード２２４のアクティブ接点２２６の少なくとも一部分および電気外科用ブレード２２４のリターン接点２２８の少なくとも一部分が第２の支持部材２４２を通るように、第２の支持部材２４２が中空伸縮部材２１８内
に位置決めされる。第１および第２の中空導電性管状部材２３２、２３６ならびに第１および第２の中実導電性円筒形部材２３０、２３４は、ステンレス鋼、銅、および／またはチタンから作製でき、第１および第２の中空導電性管状部材２３２、２３６の外面はそれぞれ絶縁体で覆われてもよい。
【００４７】
電気外科用ブレード２２４は、対向する平坦側部を有する非導電性平坦部材と、非導電性平坦部材の各対向する平坦側部にアクティブ接点２２６とリターン接点２２８双方を有する超極性電気外科用ブレードである。超極性電気外科用ブレード２２４はさらに、非導電性の鋭利な切断先端部２４５を含む。非導電性の鋭利な切断先端部２４５は、非導電性平坦部材から形成することができ、両方ともセラミック材料で作ることができる。
【００４８】
超極性伸縮電気外科用ハンドピース／ペンシル２００はまた、旋回部材２４６がハンドピース部材２１２に対して回転するように、ハンドピース部材２１２の第２の端部２１６に接続される旋回部材２４６を含む。旋回部材２４６は、旋回部材に接続された真空管２４８がハンドピース部材２１２に接続された電気コード２５０の周りでねじれるようにし、それにより、電気外科手術中の超極性伸縮電気外科用ハンドピース／ペンシル２００の端部を引っ張る、または引き下げるのを減らすことで、外科医が超極性伸縮電気外科用ハンドピース／ペンシル２００を使用するのを容易にする。
【００４９】
図１３は、図１２に示された図と同じであるが、示されている超極性伸縮電気外科用ハンドピース／ペンシル２００が超極性伸縮電気外科用ハンドピース／ペンシル２００の旋回部材２４６に対して１８０度回転されている。それは、超極性伸縮電気外科用ハンドピース／ペンシル２００のハンドピース部材２１２および中空伸縮部材２１８が１８０度回転したとき、同じ位置を保っている。図１３で見られるように、超極性電気外科用ブレード２２４はまた、アクティブ接点２２６とリターン接点２２８を含む対向する平坦側部とは反対側の非導電性平坦部材の対向する平坦側部に位置する、第２のアクティブ接点２２７と第２のリターン接点２２９とを有する。図１２および図１３に見られるように、アクティブ接点２２６および第２のアクティブ接点２２７は両方共第１の中実導電性円筒形部材２３０と接触または連通しており、リターン接点２２８および第２のリターン接点２２９は両方共第１の中空導電性管状部材２３２と接触している、または連通している。超極性伸縮電気外科用ハンドピース／ペンシル２００のこの構成により、使用者または外科医は、非導電性の鋭利な切断先端部２４５で生体組織を切断し、電気外科用ブレード２２４の一方の側部のアクティブ接点２２６とリターン接点２２８で生体組織を凝固させ、電気外科用ブレード２２４の他方の側部の第２のアクティブ接点２２７および第２のリターン接点２２９で生体組織を凝固して、電気外科用ブレード２２４のアクティブ接点２２６およびリターン接点２２８ならびに第２のアクティブ接点２２７および第２のリターン接点２２９で切断することが可能になる。
【００５０】
超極性伸縮電気外科用ハンドピース／ペンシル２００はまた、中空伸縮部材２１８をハンドピース部材２１２に対して定位置に係止するための係止部材２６０を含む。さらに、図１２および図１３に示すように、超極性伸縮電気外科用ハンドピース／ペンシル２００はまた、切断用の少なくとも１つの作動ボタン２７０および凝固用の少なくとも１つの作動ボタン２７２を含む。
【００５１】
本明細書における本発明の例示的な実施形態の詳細な説明は、本発明の様々な例示的実施形態を示す。これらの例示的な実施形態およびモードは、当業者が本発明を実施することを可能にするために十分に詳細に説明されており、決して本発明の範囲、適用性、または構成を限定することを意図しない。むしろ、以下の開示は、例示的な実施態様およびモードの実施形態ならびに当業者に知られているか明白である任意の同等のモードまたは実施形態の両方を教示することを意図している。さらに、含まれるすべての例は、例示的な
実施形態およびモードの非限定的な例示であり、それらも同様に、当業者に知られているか明らかである任意の同等のモードまたは実施形態に役立つ。
【００５２】
特に列挙されていないものに加えて、本発明の実施において使用される構造、配置、用途、割合、要素、材料、または構成要素の他の組み合わせおよび／または修正は、変更することができ、さもなければ本発明の範囲から逸脱することなく、特定の環境、製造上の仕様、設計パラメータ、または他の動作要件に特に適合させることができ、また本開示に含まれることが意図されている。
【００５３】
特に明記しない限り、明細書および特許請求の範囲における語句が、一般に認められている一般的な意味、または当業者によって使用される通常の慣用の意味を与えられることを、出願人は意図している。これらの意味が異なる場合には、明細書および特許請求の範囲における語句は、可能な範囲で最も広くて一般的な意味を与えられるべきである。他のいずれかの特別な意味をいずれかの語句に対して意図している場合、本明細書は特別な意味について明確に述べて定義している。
【図１】
2019521796.tif 000003
【図２】
2019521796.tif 000004
【図３】
2019521796.tif 000005
【図４】
2019521796.tif 000006
【図５】
2019521796.tif 000007
【図６】
2019521796.tif 000008
【図７】
2019521796.tif 000009
【図８】
2019521796.tif 000010
【図９】
2019521796.tif 000011
【図１０】
2019521796.tif 000012
【図１１】
2019521796.tif 000013
【図１２】
2019521796.tif 000014
【図１３】
2019521796.tif 000015
【国際調査報告】
2019521796.tif 000016